(57)【特許請求の範囲】
【請求項１】
ユニットバスの防水パンを床スラブに形成されたピットと梁上に高さ調整可能に支持脚で支持するユニットバスの防水パン支持構造において、
防水パンの浴槽が設けられる梁側の一側面側の裏面にその長手方向に沿って、かつ防水パンの側縁から外側へ延出しないように補強材を設け、
この補強材に取付けられたＬ字のブラケットに固着された筒状ナットを防水パンの一側面外側に位置させ、
この筒状ナットに防水パンの一側面外側からボルトをねじ込んでその頭部を梁に接地させて梁用支持脚を構成し、
床スラブにバリアフリー化を図るため５０〜２００ｍｍ落とし込んで形成されたピット内では防水パンの裏面に設けたピット用支持脚が防水パンを支持し、
前記梁用支持脚とピット用支持脚とで防水パンのレベル調整を図った後に防水パンの一側面内側にユニットバスの壁パネルを設けるようにしたことを特徴とするユニットバスの防水パン支持構造。
【請求項２】
床スラブのピット内のピット用支持脚の下端を乾きの遅い接着剤に埋設し、梁用支持脚のレベル調整後に接着剤を硬化させることを特徴とする請求項１に記載のユニットバスの防水パン支持構造。
【発明の詳細な説明】
【０００１】
【発明の属する技術分野】
この発明は、ユニットバスの防水パン支持構造に関し、特にバリアフリーを実現するためにコンクリートスラブなどの床スラブの一部を落し込んだ個所（ピット）に防水パンを設置するのに適した支持構造に関する。
【０００２】
【従来の技術】
従来、防水パン１０の裏側に補強材を設け、この補強材にレベル調整可能な支持脚１２を取付け、防水パン１０のレベル調整は防水パン１０の周囲からスパナなどの工具をさし込んで行っていた。しかしながら、図７に示すように、近年、住居内の生活空間の段差をなくし、バリアフリー化を図るため、ユニットバスの水廻りの床スラブ２０を５０〜２００mm程度落し込む設計が増えている。この落し込み個所をピット２０Ｂという。その結果、水廻りには床スラブ２０に梁２０Ａが突出し、この梁２０Ａ上での支持脚１２のレベル調整は、作業スペースが狭いため困難をきたしていた。
【０００３】
このような困難を解決するため、本願出願人は特開平１１−６１８２号公報に記載のものを開発した。すなわち、この従来例は、梁上における防水パンの支持と支持脚のレベル調整を容易にすることを目的とし、防水パンの下面の所定個所に両端が防水パンの側縁から外側へ延出する補強材を取付け、補強材の外側延出部分にも支持脚を取付可能に構成した。
【０００４】
【発明が解決しようとする課題】
特開平１１−６１８２号公報に記載の従来例では、防水パンの両側と建物矩体の壁面との間に十分なゆとりがないと、補強材の両端を延出させることができず、また建物矩体の床スラブ梁の上面と、防水パン裏面補強材との間にクリアランスが確保できないと、レベル調整が困難であった。
【０００５】
そこで、この発明は、梁上における防水パンの支持と支持脚のレベル調整を容易にしたユニットバスの防水パン支持構造を提供することを目的とする。
【０００６】
【課題を解決するための手段】
上述の目的を達成するため、この発明は、ユニットバスの防水パンを床スラブに形成されたピットと梁上に高さ調整可能に支持脚で支持するユニットバスの防水パン支持構造において、防水パンの浴槽が設けられる梁側の一側面側の裏面にその長手方向に沿って、かつ防水パンの側縁から外側へ延出しないように補強材を設け、この補強材に取付けられたＬ字のブラケットに固着された筒状ナットを防水パンの一側面外側に位置させ、この筒状ナットに防水パンの一側面外側からボルトをねじ込んでその頭部を梁に接地させて梁用支持脚を構成し、床スラブにバリアフリー化を図るため５０〜２００ｍｍ落とし込んで形成されたピット内では防水パンの裏面に設けたピット用支持脚が防水パンを支持し、前記梁用支持脚とピット用支持脚とで防水パンのレベル調整を図った後に防水パンの一側面内側にユニットバスの壁パネルを設けるようにしたものである。
【０００７】
【発明の実施の形態】
以下に、この発明の好適な実施例を図面を参照にして説明する。
【０００８】
図１は、要部断面を示し、ユニットバスの防水パン１０を床スラブ２０に形成されたピット２０Ｂと梁２０Ａ上に高さ調整可能に支持脚１２で支持するに際し、防水パン１０の一側面１１の外側に梁２０Ａ上に接地するレベル調整可能な梁用支持脚１２Ａを設けてある。防水パン１０のこの一側面１１の内側にはユニットバスの壁パネル１３を設けるように構成してある。防水パン１０の一側面１１側の裏面にその長手方向に沿って補強材１４を設け、この補強材１４に筒状ナット２が固着されたブラケット３を取付け、この筒状ナット２にボルト１をねじ込んである。ボルト１の頂部にはマイナス溝が形成してあり、ドライバーで回転させることができるようになっているが、頂部を角形に形成してレンチで回すようにしてもよい。このボルト１の頭部１Ａが床スラブ２０の梁２０Ａに接地する。また、床スラブ２０のピット２０Ｂ内のピット用支持脚１２Ｂは、防水パン１０の裏側に設けた補強材１５に取付けたナット部材１６にねじ１７をねじ込み、このねじ１７の下端１７Ａをピット２０Ｂに接地させるようになっている。このピット２０Ｂ内の複数の支持脚１２（ピット用支持脚１２Ｂ）を、防水パン１０が所定のレベルになるように調整し、この調整後であっても微少なガタつきは生ずるが、この状態でこれらねじ１７の下端１７Ａを乾きの遅い接着剤１８の層中に埋設し、場所によってはこのねじ１７の下端１７Ａがピット２０Ｂから浮いた状態で接着剤１８の層中で接着剤１８の硬化に伴って固定される。この接着剤１８が硬化する前に、梁用支持脚１２Ａで防水パン１０の全体的なレベル調整を図る。
【０００９】
図２は、ボルト１を支持するための筒状ナット２とブラケット３の平面図である。筒状ナット２には、ボルト１の雄ねじがねじ込まれる雌ねじ２Ａが形成してある。また、この筒状ナット２はブラケット３に溶接され、ブラケット３は角材からなる補強材１４にねじ止めされている。
【００１０】
図３は防水パン１０の全体の底面図を示し、この実施例では１８８０mm×１４８０mmの大きさに形成してある。この防水パン１０の裏面には補強材２１を設け、補強材２１に支持脚１２（ピット用支持脚１２Ｂ）を設けてある。梁用支持脚１２Ａは、図３からも明らかなように、防水パン１０の一側面１１に沿って設けてあり、この一側面１１の個所に梁２０Ａが存在し、かつこの一側面１１の内側に壁パネル１３が設けられる。なお、梁２０Ａの形成個所の変更により壁パネル１３が設けられる辺も変更する。
【００１１】
図４は図３の中央縦断面の概略図を示し、防水パン１０の梁２０Ａ側に浴槽を設置するためのスペースを設け、反対側は洗い場を構成している。
【００１２】
図５及び図６に示す実施例は、梁２０Ａの形成個所が変更になったときに防水パン１０の一側面１１が変更された例を示す。この図５及び図６に示す例では梁２０Ａの形成個所が異なり、そのため防水パン１０の一側面１１の位置が変更になったものである。この一側面１１の内側にも壁パネル１３が設けられる。
【００１３】
図４や図６に示す実施例では、ピット用支持脚１２Ｂをおおよそ調整して防水パン１０の大体のレベル調整を図り、図１に示すような接着剤１８を用いて支持脚１２Ｂの下端を仮固定しておき、この仮固定の間に梁２０Ａ上の支持脚１２Ａを調整して防水パン１０のレベル調整を図る。この梁用支持脚１２Ａの個所でのレベル調整は、壁パネル１３の設置前における防水パン１０の上方から行えるので、容易かつ迅速に行える
【００１４】
上記梁用支持脚１２Ａを設ける個所は、防水パン１０の浴槽設置場を画成する３つの外側面のいずれか１つの一側面１１であり、防水パン１０の洗い場の浴槽に平行な一辺側にはドア枠が設けられる。
【００１５】
【発明の効果】
以上説明したように、この発明によれば、梁上における防水パンの支持と支持脚のレベル調整を容易に行うことができる。梁用支持脚は防水パンの一側面外側に存在するので、この支持脚の調整は、狭いスペースに手をさし入れる必要もなく、防水パンの上方から容易に行える。また、この梁用支持脚を、防水パンの一側面側の裏面にその長手方向に沿って補強材を設け、この補強材に筒状ナットが固着されたブラケットを取付け、この筒状ナットにボルトをねじ込んで構成したものでは、防水パンに対し、簡単に後付けができ、コスト面でも有利である。
【図面の簡単な説明】
【図１】この発明の好適な実施例を示す要部の断面図。
【図２】ブラケットと筒状ナットを示す平面図。
【図３】防水パンの底面図。
【図４】図３の中央縦断面を示す設置状態の図。
【図５】他の実施例を示す防水パンの底面図。
【図６】図５の中央縦断面であり、設置状態を示す。
【図７】従来例を示す断面図。
【符号の説明】
１  ボルト
１Ａ  頭部
２  筒状ナット
３  ブラケット
１０  防水パン
１１  一側面
１２  支持脚
１２Ａ  梁用支持脚
１２Ｂ  ピット用支持脚
１３  壁パネル
１４  補強材
１８  接着剤
２０  床スラブ
２０Ａ  梁
２０Ｂ  ピット
【図１】
0004340360.tif 000002
【図２】
0004340360.tif 000003
【図３】
0004340360.tif 000004
【図４】
0004340360.tif 000005
【図５】
0004340360.tif 000006
【図６】
0004340360.tif 000007
【図７】
0004340360.tif 000008